(57)【特許請求の範囲】
【請求項１】
使用されるべき貼付剤よりも大きな面を有する支持板と、
前記支持板の一方の面の外縁部に設けられており、使用されるべき貼付剤の厚さよりも大きな厚さを有するスぺーサーと、
前記支持板の一方の面に固定され、使用されるべき貼付剤を一時的に剥離可能に保持する仮止め手段と、
を備えることを特徴とする貼付剤貼付用補助器具。
【請求項２】
前記スぺーサーに設けられている突起状の貼付剤位置決め部を更に備えることを特徴とする請求項１に記載の貼付剤貼付用補助器具。
【請求項３】
前記支持板に接続されているハンドル部を更に備えていることを特徴とする請求項１または２に記載の貼付剤貼付用補助器具。
【発明の詳細な説明】
【０００１】
【発明の属する技術分野】
本発明は、貼付剤を背中等の貼付しにくい部位に貼付する際に使用する貼付剤貼付用補助器具に関する。
【０００２】
【従来の技術】
従来、肩こり、腰痛、筋肉痛、筋肉疲労、関節痛等の改善を目的とした多様な貼付剤が流通しており、これらの貼付剤においては使用者が所望の貼付部位に対して容易に貼付できるようにするために様々な工夫が施されている。例えば、貼付剤を構成する剥離フィルムに切れ目を施しておき、使用者が貼付作業をスムーズに行えるようにした製品等が知られている。
【０００３】
【発明が解決しようとする課題】
しかしながら、いかにスムーズに貼付作業を行える貼付剤をもってしても、背中等の目で直接見えにくくしかも手が届きにくい貼付部位に対して、使用者が独力で容易にしかも的確に貼付剤を貼付することは困難であった。
【０００４】
本発明は以上の問題を鑑みてなされたものであり、適切な貼付位置を視覚的に直接確認しにくい背中等の部位に対し、使用者が独力で容易にしかも的確に貼付剤を貼付することのできる貼付剤貼付用補助器具を提供することを目的とする。
【０００５】
【課題を解決するための手段】
本発明者らは、上記目的を達成するべく鋭意研究を重ねた結果、貼付作業を補助する補助器具を用いて貼付剤を手で届きにくい貼付部位に容易に貼付部位に運ぶことと、さらにこの補助器具に位置決めの機能を持たせることにより、貼付部位に対して視覚或いは指先の感触に代わる貼付剤の位置決めが可能となり、背中のような貼付部位に対して使用者が単独で貼付剤を貼付する際の貼付しにくさを解決できることを見出した。
【０００６】
すなわち、本発明の貼付剤貼付用補助器具は、使用されるべき貼付剤よりも大きな面を有する支持板と、この支持板の一方の面の外縁部に設けられており、使用されるべき貼付剤の厚さよりも大きな厚さを有するスぺーサーと、支持板の一方の面に固定され、使用されるべき貼付剤を一時的に剥離可能に保持する仮止め手段とを備えることを特徴とする。
【０００７】
このような貼付剤貼付用補助器具によれば、貼付剤の使用者は、支持板に固定された仮止め手段上に使用する貼付剤をシワなくきれいに広げた状態で保持させることができるので、使用する貼付剤を手で届きにくい貼付部位に容易に貼付部位に運ぶことができるとともに、貼付作業中に貼付剤が折れ曲がることにより貼付剤の粘着面同士が部分的に接着してしまうという不具合も防止できる。さらに、貼付剤の使用者は、貼付部位においてスぺーサーを貼付部位付近の皮膚に接触させることにより得られる感触によって使用する貼付剤の貼付位置を正確に決めることができ、貼付剤を貼付部位にシワの無いきれいな状態で貼り付けることができる。
【０００８】
また、本発明の貼付剤貼付用補助器具は、スぺーサーに設けられた突起状の貼付剤位置決め部を更に備えることが好ましい。貼付部位において突起状の貼付剤位置決め部と貼付部位の皮膚が点接触することにより、スペーサーを接触させる場合よりも鋭敏な感触が得られるので、更に精密な貼付剤の位置決めを行うことができることとなる。
【０００９】
さらに、本発明の貼付剤貼付用補助器具は、支持板に接続されたハンドル部を更に備えていることが好ましい。これにより、貼付剤を運ぶことのできる範囲が大きくなるので、手で届きにくい貼付部位への貼付作業をより容易に行うことができる。
【００１０】
【発明の実施の形態】
以下、図面を参照して本発明の好適な実施形態について更に詳しく説明する。なお、図中、同一又は相当部分には同一符号を付することとする。
【００１１】
図１は本発明の貼付剤貼付用補助器具の好適な実施形態の基本構成を示す斜視図である。また、図２は、図１の貼付剤貼付用補助器具の裏面を示す。
【００１２】
図１及び図２に示すとおり、本実施形態の貼付剤貼付用補助器具１０は、使用されるべき貼付剤７０よりも大きな面を有する矩形の支持板２０と、この支持板２０の一方の面の外縁部に設けられており、使用されるべき貼付剤の厚さよりも大きな厚さを有する矩形リング状のスぺーサー３０と、支持板２０のスぺーサー３０側の面に固定され、使用されるべき貼付剤７０を一時的に剥離可能に保持する矩形の仮止め手段４０と、スぺーサー３０の四隅にそれぞれ設けられた突起状の貼付剤位置決め部５０と、支持板２０の他方の面に設けられたハンドル部６０とから構成されている。
【００１３】
以下に、図１及び図２に基づき上記の各構成要素の詳細を説明する。
【００１４】
図１に示すように、支持板２０は平滑な面２０ａを有する矩形の板体である。この平滑な面２０ａは、貼付の際に仮止め手段４０を挟んで貼付剤７０を配置し、皮膚患部等の貼付部位Ｓに向けて押し当てることとなる側の面である。なお、この平滑な面２０ａを「貼付面２０ａ」として以降の説明に記述することとする。
【００１５】
この支持板２０の大きさは、使用される貼付剤７０の大きさよりも大きければ特に限定されない。また、支持板２０の形状も特に限定されないが、後述するように、通常使用される貼付剤７０の形状が矩形であるので、貼付部位に対する貼付剤の位置決めのし易さとその貼付部位における貼付剤の向きの決め易さとの観点から矩形状であることが好ましい。
【００１６】
また、背中等の貼付部位Ｓの面は通常凹凸を有しているので、この凹凸面に貼付剤７０を密着させるために、支持板２０は適度な形状弾性（可とう性）を有していることが好ましい。これにより、貼付部位Ｓ付近が多少の凹凸を有していても、支持板２０の貼付面２０ａがこれらの凹凸に合わせて弾性変形するとともに貼付部位Ｓの面も支持板２０により押圧されてその凹凸の度合いが低減されほぼ平滑な面となるので、貼付剤７０は貼付部位Ｓにフィットした状態で貼付されることとなる。
【００１７】
また、支持板２０の構成材料は、貼付剤７０を支持し得る強度を有しているとともに支持板２０を形成した際に支持板２０が形状弾性を有するものが好ましく選択される。例えば、ゴム（エラストマー）、ゴム製スポンジ、合成樹脂（エラストマーを除く）、合成樹脂製スポンジ、紙、プラスチック、金属等を使用することができる。さらに、選択される構成材料に応じて支持板２０の好適な厚みＴ20も決められ、形成される支持板２０が貼付剤７０を支持し得る強度と十分な形状弾性を有するように調整されることとなる。
【００１８】
仮止め手段４０は、合成樹脂等から形成された平滑な矩形のフィルムであり、一方の面を支持板２０の貼付面２０ａの略中央に固定されており、他方の面には粘着加工が施されている。また、この仮止め手段４０の粘着加工が施されている側の面は、使用される貼付剤７０が薬効成分を含む粘着層の粘着面７０ａを貼付部位に向けるようにしてシワなくきれいに広げられて剥離可能に保持されるためのものである。なお、この仮止め手段４０の貼付剤を剥離可能に保持するための面を「貼付面４０ａ」として以降の説明に記述することとする。
【００１９】
この仮止め手段４０の大きさは特に限定されないが、使用される貼付剤７０の大きさよりも大きい方が好ましい。このようにすることにより、貼付剤７０全体が仮止め手段４０の貼付面４０ａ上に剥離可能に貼着されることとなり、貼付部位Ｓに貼付する際に貼付剤７０はその中心部だけでなく外縁部もすべて押圧されて貼付部位Ｓに十分に貼着固定されることとなる。従って、貼付後に外縁部の貼着が不十分なために外縁部の一部または全部が剥離してしまうといった不具合が防止される。
【００２０】
また、仮止め手段４０の貼付面４０ａには、使用する貼付剤７０を剥離可能に保持するために粘着加工が施されている。この粘着加工により仮止め手段４０の貼付面４０ａが貼付剤７０の背面に対して有する粘着力は、貼付部位に対して貼付剤７０の貼付面７０ａが有する粘着力よりも低く設定されている。これにより、貼付の際において貼付剤７０はスムーズに仮止め手段４０から剥離され貼付部位Ｓに貼着されることとなる。また、仮止め手段４０の貼付面４０ａに施される粘着加工は、その粘着力を長期間保持できるものであり、繰り返し使用を可能とするものが好ましく、さらに貼付面４０ａに汚れ等が付着しても軽く拭き取ることにより容易に初期の粘着力を回復させることができるものが好ましい。
【００２１】
仮止め手段４０の構成材料は特に限定されず、上記の所望の粘着力とその粘着力を長期にわたり保持できるものが適宜選択される。例えば、ポリ塩化ビニル（ＰＶＣ）、ポリプロピレン（ＰＰ）、ポリエステル（ＰＥＴ）等の合成樹脂にアクリル酸エステル系粘着剤を塗布したもの等が用いられる。
【００２２】
スぺーサー３０は、矩形リング状の連続環状体である。このスぺーサー３０は、支持板２０の貼付面２０ａ上に設けられている。そしてこのスぺーサー３０のリングの内側に形成される矩形の平面領域の大きさは、使用される貼付剤７０及び仮止め手段４０の面積よりも大きな面積を有している。
【００２３】
このスぺーサー３０は、使用する貼付剤７０の厚みよりも大きな厚みを有しており、貼付部位Ｓに対して貼付剤７０を貼付する際に、皮膚に面する平滑な面３０ａが貼付剤７０の粘着面７０ａよりも先に皮膚に接触するとともに皮膚と貼付面２０ａの間に適度なスペースを形成する。使用する貼付剤７０を仮止め手段４０にセットする際にスペーサー３０のリング内の中心に貼付剤７０の中心が位置するように予め貼付剤７０を仮止め手段４０にセットすることにより、使用者はこのスぺーサー３０の皮膚に面する平滑な面３０ａが皮膚に接触した感触を媒介にして、貼付部位Ｓに対する貼付剤７０の相対的な位置を認識することができ、貼付部位Ｓに対して貼付剤７０の貼付すべき位置を的確に決められることとなる。なお、皮膚に面する平滑な面３０ａを「貼付面３０ａ」として以降の説明に記述することとする。
【００２４】
また、貼付剤７０の貼付後の向きも所望の向きに設定したい場合には、貼付剤７０をセットする際に予めスペーサー３０が皮膚に触れた時の感触によって貼付剤の向きも容易にイメージできるようにセットする。例えば図３に示すように、スぺーサー３０の長手方向Ｌ30と、矩形の貼付剤７０の長手方向Ｌ70とが平行になるようにしておく。このようにすることにより容易に貼付部位Ｓにおける貼付剤７０の貼付後の向きを自在に決めることができ、他人に貼付してもらう場合と同じ作用効果が得られることとなる。
【００２５】
このスペーサー３０の形状は特に限定されないが、上記の貼付部位Ｓに対する貼付剤７０の位置決めの容易性及び貼付位置における向きの設定の容易性という観点から矩形リング状が好ましい。これは、使用される貼付剤７０の形状が通常矩形であるためである。このように貼付剤７０の形状にスペーサー３０の形状を合わせることによって、使用者は貼付剤７０の位置決めを行う際に皮膚に接触するスペーサー３０の矩形の貼付面３０ａの感触から矩形の貼付剤７０の位置のより具体的なイメージを得ることができる。さらに、使用者は貼付剤７０の貼付位置における向きの設定を行いたい場合にも貼付剤７０の形状にスペーサー３０の形状を合わせておけば、スペーサー３０の矩形リングの各辺に対して貼付剤７０の外周の各辺が平行になるように合わせ易いので仮止め手段４０上に容易にセットできることとなる。
【００２６】
なお、貼付面３０ａは平面である必要は無く、例えば断面凸形の曲面であって、皮膚と線接触するものであってもよい。この場合にはスペーサー３０の貼付面３０ａが皮膚に接触する際の感触がより鋭敏になるので、上記のような面接触する場合に比較して貼付剤７０の位置決めがより容易となる。
【００２７】
また、スペーサー３０は、支持板２０と同様にこの貼付部位Ｓの凹凸面に貼付剤７０を密着させるために、適度な形状弾性（可とう性）を有していることが好ましい。さらに、このスペーサー３０は、支持板２０よりも柔軟性が高く、支持板２０が貼付部位Ｓの方向に押圧される場合に支持板２０と貼付部位Ｓの間で容易に収縮できるものが好ましい。このようにすることにより、後述するように貼付部位Ｓ付近が多少の凹凸を有していても、貼付の際に支持板２０が貼付部位に向けて押圧されるとともにこのスペーサー３０が収縮し、この時のスペーサー３０の応力によって貼付部位Ｓ付近の凹凸面は押し広げられてほぼ平滑な面となるので、貼付剤７０は貼付部位Ｓにフィットした状態で貼付されることとなる。
【００２８】
スぺーサー３０の構成材料は、スぺーサー３０を形成した際にスぺーサー３０が形状弾性を有するものが好ましく選択される。例えば、ゴム（エラストマー）、ゴム製スポンジ、合成樹脂（エラストマーを除く）、合成樹脂製スポンジ等を使用することができる。さらに、選択される構成材料に応じてスぺーサー３０の好適な厚みＴ30も決められ、形成されるスぺーサー３０が十分な形状弾性を有するように調整されることとなる。
【００２９】
貼付剤位置決め部５０は、スぺーサー３０の貼付面３０ａの四隅に設けらた円柱状の突起である。この貼付剤位置決め部５０は貼付部位Ｓ付近の皮膚と点接触することができるので、貼付剤貼付用補助器具１０を皮膚に接触させて貼付剤７０の位置決めを行う際に、使用者は、スペーサー３０を皮膚に接触させる場合よりも鋭敏な感触を得ることができ、所望の貼付部位Ｓに対する貼付剤７０位置をより正確に把握できることとなる。
【００３０】
また、貼付剤７０を仮止め手段４０にセットする際に、貼付剤位置決め部５０に対する貼付剤７０の向きも予め規定しておくと、各貼付剤位置決め部５０が皮膚に触れた時の感触によって貼付部位Ｓにおける貼付剤７０の向きも容易にイメージできることとなる。例えば、図３に示すように、スぺーサー３０の長手方向に位置する一組の貼付剤位置決め部５０を結ぶ直線Ｌ50と、矩形の貼付剤７０の長手方向Ｌ70とが平行になるようにしておく。このようにすることによりスペーサー３０と同様に貼付部位Ｓにおける貼付剤７０の向きを自在に決めることができる。
【００３１】
また、貼付剤位置決め部５０は、支持板２０及びスペーサー３０と同様に貼付部位Ｓの凹凸面に貼付剤７０を密着させるために適度な形状弾性（可とう性）を有していることが好ましい。さらに、この貼付剤位置決め部５０は、支持板２０よりも柔軟性が高く、支持板２０が貼付部位Ｓの方向に押圧される場合に支持板２０と貼付部位Ｓの間で容易に収縮できるものが好ましい。このようにすることにより、貼付部位Ｓ付近が多少の凹凸を有していても、貼付の際に支持板２０が貼付部位に向けて押圧されるとともにスペーサー３０とこの貼付剤位置決め部５０が共に収縮し、この時のスペーサー３０及び貼付剤位置決め部５０の応力によって貼付部位Ｓ付近の凹凸面は押し広げられてほぼ平滑な面となるので、貼付剤７０は貼付部位Ｓにフィットした状態で貼付されることとなる。なお、この貼付剤位置決め部５０の有する柔軟性の大きさは、スペーサー３０の有する柔軟性に対しては特に限定して設定される必要はなく、貼付剤位置決め部５０の有する柔軟性がスペーサー３０の有する柔軟性よりも低い場合においても高い場合においても上記したような貼付の際の貼付部位Ｓを押し広げて平滑な面にする作用効果を得ることができる。
【００３２】
また、この貼付剤位置決め部５０の構成材料は、貼付部位Ｓに接触した時に得られる感触により使用者が貼付剤７０の貼付位置を認識できるものであれば特に限定されず、スペーサー３０と同様の構成材料が使用される。例えばスペーサー３０と同じ材質であってもよい。なお、この貼付剤位置決め部５０の突出方向の高さは、貼付の際に支持板２０が貼付部位Ｓに押圧された際に貼付剤７０の貼付面７０ａが皮膚に十分に接触できるように、支持板２０、スペーサー３０、仮止め手段４０との兼ね合いから調整されることとなる。
【００３３】
また、この貼付剤位置決め部５０の数は、少なくともこの貼付剤位置決め部５０によって貼付剤７０を囲む平面領域を形成し得る３つ以上が好ましく、特に矩形の平面領域を形成し得る４つであることが好ましい。これは、各貼付剤位置決め部５０の頂点を結ぶ平面内に貼付剤７０が入るように位置させることにより、使用者が、貼付作業の際に貼付部位Ｓに対する貼付剤７０の位置をイメージし易くなるからである。
【００３４】
なお、貼付剤位置決め部５０の突起の形状は、使用者がこれを皮膚に接触させた際に鋭敏な感触を得ることができ、かつ皮膚に押し当てた時に痛みを感じたり皮膚に傷やこの部分の跡が残るといった不具合の無いものであれば特に限定されず、半球状、錘状であってもよい。
【００３５】
図２に示すようにハンドル部６０は、矩形リング状の連続環状体である。このハンドル部６０は、支持板２０の背面２０ｂ上にリングが垂直に倒立されるように設けられている。使用者はこのリング内に指を挿入して容易に貼付剤貼付用補助器具１０を握ることが可能となる。また、これにより手で届きにくい貼付部位Ｓに対しても貼付剤７０を容易に位置させることができる。
【００３６】
ハンドル部６０の構成材料は、支持板２０を押圧して貼付剤７０を貼付部位Ｓに貼着させる時にかかる負荷に十分に耐えられるものであればよく、特に限定されない。例えば、支持板２０と同じ構成材料から形成されていてもよい。
【００３７】
以下、図３〜図７に基き図１及び図２に示した本実施形態係る貼付剤貼付用補助器具１０の使用方法を説明する。
【００３８】
まず、図３に示すように、矩形の貼付剤７０を貼付剤貼付用補助器具１０の粘着フィルム（仮止め手段）４０の貼付面４０ａ中央部にシワのないようにきれいに広げてセットし保持させる。このようにすることにより、各貼付剤位置決め部５０が、貼付剤７０を囲むようにして形成する平面領域の中心と貼付剤７０の中心とがほぼ一致することになり、各貼付剤位置決め部５０の皮膚に触れる感触により貼付剤７０の中心を貼付部位Ｓの中心に合わせ易くすることができる。また貼付剤７０は、粘着フィルム４０の貼付面４０ａ上にシワのないようにきれいに広げてセットされているので、貼付作業中に貼付剤７０が折れ曲がることによりその粘着面７０ａ同士が部分的に接着してしまうという不具合も防止される。
【００３９】
さらに、貼付剤７０を貼付する際に貼付部位Ｓにおける貼付剤７０の向きも決めたい場合には、各貼付剤貼付剤位置決め部５０が皮膚に触れた時の感触によって貼付剤７０の向きも容易にイメージできるようにセットする。例えば、スぺーサー３０の長手方向に位置する一組の貼付剤位置決め部５０を結ぶ直線の方向Ｌ50と、矩形の貼付剤７０の長手方向Ｌ70とが平行になるようにしておく。このようにすることにより容易に貼付部位Ｓにおける貼付剤７０の向きを自在に決めることができる。
【００４０】
次に、ハンドル部６０を手で握り、図４に示すような直接目で見にくい背中の貼付部位Ｓに貼付剤貼付用補助器具１０を運ぶ。この時ハンドル部６０が備わっているので、手が届きにくい貼付部位Ｓに対しても容易に貼付剤貼付用補助器具１０を運ぶことができる。次に、図５（ａ）に示すように貼付部位Ｓ上に貼付剤貼付用補助器具１０を位置させて、図５（ｂ）に示すように貼付剤位置決め部５０を貼付部位Ｓ付近に接触させることにより、貼付部位Ｓに対する貼付剤貼付用補助器具１０の相対的な位置を決める。このとき貼付剤位置決め部５０の突起と皮膚の接触部の感触を頼りにして貼付部位Ｓの中心部と貼付剤貼付用補助器具１０の中心部がほぼ一致するように調節する。
【００４１】
さらに、貼付剤７０を所望の向きに貼付したい場合、例えば使用者の背骨方向Ｘに矩形貼付剤７０の長手方向Ｌ70を平行にしたい場合には、図５（ａ）に示すように貼付部位Ｓに対して貼付剤７０の中心位置が決まった時点で適宜貼付剤貼付用補助器具１０を回転させて向きを変える。これにより、図６（ａ）に示すように他の人に貼付してもらう時と同様に貼付剤７０の方向も含めて貼付部位Ｓに的確に貼付位置を決めることができる。
【００４２】
次に図６（ｂ）に示すようにハンドル部６０を軽く貼付部位Ｓの方向に押し込む。この時、形状弾性を有する支持板２０が貼付部位Ｓの方向にわずかに屈曲されるとともに、形状弾性を有するスぺーサー３０及び貼付剤位置決め部５０が収縮され、貼付部位Ｓの周囲を押圧しつつ貼付部位Ｓを外方向に放射状に押し広げる。このことにより貼付部位Ｓの凹凸状の面は中心部が僅かに隆起したほぼ平滑な面となる。次にこの隆起した貼付部位Ｓの中心部と貼付剤７０の中心部とが接触する。次にハンドル部６０をさらに押し込むことにより貼付剤７０全体が貼付部位Ｓの面に貼着されることとなる。このような貼付部位Ｓの凹凸状の面を適度に押し広げながらシワができないようにきれいに貼付剤７０を貼着する一連の動作は、このような貼付剤貼付用補助器具１０なしに片手のみで行うことは通常できない動作である。また、貼付剤７０の大きさよりも粘着フィルム４０の大きさの方が大きく設定されており、貼付剤７０は中心部のみならず外縁部全体を皮膚に対して十分に貼着固定されることになるので、貼付後の外縁部の剥がれといった不具合が生じることはない。
【００４３】
次に、図７（ｂ）に示すように、ハンドル部６０を引き上げて貼付剤貼付用補助器具１０を貼付部位Ｓより引き離す。この時貼付部位Ｓに対する貼付剤７０の粘着力の方が貼付剤７０に対する粘着フィルム４０の粘着力よりも大きいので、貼付剤７０は容易に粘着フィルム４０から速やかに剥離されて貼付部位Ｓに貼着される。さらに、貼付剤貼付用補助器具１０を引き離すと、貼付部位Ｓの面は元の凹凸面に戻るが、貼付剤７０は、その基布の有する柔軟性により、貼付部位Ｓの凹凸面に合わせて変形しシワなくきれいにフィットしている。しかも、図７（ａ）に示すように、他人に貼付してもらう場合と同様に貼付剤７０の向きも所望の向きに合わせることができる。
【００４４】
このようにして、本実施形態の貼付剤貼付用補助器具１０により目で直接見えにくい貼付部位Ｓにも使用者が独力で容易に貼付剤７０を貼付することができる。
【００４５】
図８及び図９は本発明に係る貼付剤貼付用補助器具１０の別の実施形態を示す斜視図である。
【００４６】
図８に示す貼付剤貼付用補助器具１０は、図１及び図２に示した貼付剤貼付用補助器具１０の構成と以下の２点において異なるものである。
【００４７】
第一に、スペーサー３０が円柱状の突起として支持板２０の四隅にそれぞれ配置されている。このスペーサー３０は、先に延べた図１及び図２に示した貼付剤貼付用補助器具のスペーサーと貼付剤位置決め部の両方の機能を兼ね備えるものである。これにより、貼付剤貼付用補助器具１０の構造がシンプルになり軽量化することができる。
【００４８】
第二に、ハンドル部６０が支持板２０と折りたたみ式で一体化されており、使用する際には支持板２０の中央部から突出され、使用しない場合は支持板２０内に収納されるようになっている。このハンドル部６０により、貼付剤貼付用補助器具１０がよりコンパクトになり、特に使用しない場合に嵩張らないので狭い収納スペースに片づけておくことができる。
【００４９】
図９に示す貼付剤貼付用補助器具１０は、図１及び図２に示した貼付剤貼付用補助器具１０の構成と以下の２点において異なるものである。
【００５０】
第一に、図８の貼付剤貼付用補助器具１０と同様にスペーサー３０が円柱状の突起として支持板２０の四隅にそれぞれ配置されている。
【００５１】
第二に、ハンドル部６０が棒状の柄として支持板２０の外縁部に設けられている。このハンドル部６０により、手が届きにくい貼付部位Ｓに対して貼付剤７０を位置させることができる範囲が更に大きくなる。また、このようにハンドル部６０を棒状の柄とすることにより高齢者等の身体の柔軟性の劣る使用者が、単独で背中などの貼付部位Ｓに貼付剤７０を容易に貼付できることとなる。
【００５２】
以上、本発明の好適な実施形態について詳細に説明したが、本発明は上記実施形態に限定されるものではない。例えば、スペーサー３０の形状は、貼付剤７０及び仮止め手段４０を挟んで対向する２本の棒状のものであってもよい。また、スペーサー３０の取付位置は支持板２０の貼付面２０ａ上に限られず、貼付剤７０の位置決めの際に皮膚と支持板２０の貼付面２０ａの間に適度なスペースを形成することのできる厚みを有していれば外枠として支持板２０の外縁部に取り付けられるものであってもよい。また、この貼付剤位置決め部５０の設置位置もスぺーサー３０上に限られず、スぺーサー３０の貼付面３０ａよりも突出していれば支持板２０に直接設置されていてもよい。さらに、この貼付剤位置決め部５０の数は、使用者がこの貼付剤位置決め部５０を介して貼付剤７０の貼付すべき位置を把握することが可能であれば３つ未満でもよい。例えば貼付剤位置決め部５０が１つでも、貼付部位Ｓに接触させた場合にこの貼付剤位置決め部５０と、その他のスぺーサー３０等の部位と貼付部位Ｓとの接触部から得られる感触から貼付部位Ｓに対する貼付剤７０の位置を使用者がイメージできる。
【００５３】
また、上述した貼付剤貼付用補助器具においては、仮止め手段４０として表面に粘着加工を施したものを例示したが、例えば、貼付作業中に貼付剤７０を一時的に保持できるとともに繰り返し使用が可能であれば、貼付面４０ａに粘着加工を施していない合成樹脂フィルムであり貼付剤７０の基布側の面とこの合成樹脂フィルムの貼付面４０ａとが静電気的に接合して貼付剤７０を保持するものであってもよく、また、面ファスナーや紙製シートに合成樹脂のラミネート加工を施したものが用いられてもよい。
【００５４】
また、上述した貼付剤貼付用補助器具においては、支持板とスペーサーが共に形状弾性を有するものであるが、本発明に係る貼付剤貼付用補助器具は、支持板とスペーサーとが必ずしも形状弾性を有していなくともよい。
【００５５】
すなわち、支持板２０が適度の形状弾性を有しておりスペーサー３０が形状弾性を有していない場合には、貼付部位Ｓに対する貼付剤７０の位置決め後、支持板２０を貼付部位Ｓの方向に押し込みながら貼付部位Ｓに貼付剤７０を貼着する際の支持板２０および貼付部位Ｓの動きは、図６（ｂ）と基本的に同様である。この場合においても貼付部位Ｓの凹凸面は支持板２０が屈曲することによりスペーサー３０が貼付部位Ｓの凹凸面を外方向に放射状に押し広げて貼付部位Ｓを平滑な面にし、貼付剤７０を容易に貼着できることとなる。なお、この場合においてはスペーサー３０は収縮しないので、貼付剤７０が貼付部位Ｓに十分に貼着されるようにその厚みＴ30（図１参照）が適度に調節されることとなる。
【００５６】
また、スペーサー３０が適度の形状弾性を有しており支持板２０が形状弾性を有していない場合には、図１０（ａ）に示すように貼付部位Ｓに対する貼付剤７０の位置決め後、図１０（ｂ）に示すように支持板２０を貼付部位Ｓに向けて押し込む際に、支持板２０は変形せずスペーサー３０のみが収縮して貼付部位Ｓの面を押圧することになる。この場合にも貼付部位Ｓの面は支持板２０に押圧されるに伴い中央部が隆起してほぼ平滑な面となる。さらに支持板２０を貼付部位Ｓに向けて押し込むことにより貼付部位Ｓの中心部と貼付剤７０の中心部から徐々に全体的に貼付されることとなる。そして図１０（ｃ）に示すように補助器具１０を貼付部位Ｓから引き離した後の貼付剤７０は貼付部位Ｓにシワの無いようにフィットされて貼着されることとなる。なお、この場合には支持板２０が変形しないので、この貼付剤補助器具１０は図１０（ｂ）に示した貼付機能が有効に働くような貼付部位Ｓとして凹凸の緩やかな面か或いは比較的小さな面に対して使用する場合に特に有効となる。
【００５７】
更に、支持板２０、スペーサー３０がともに形状弾性を有していない場合には、貼付部位Ｓに対する貼付剤７０の位置決め後、支持板２０を貼付部位Ｓの方向に押し込みながら貼付部位Ｓに貼付剤７０を貼着する際の支持板２０および貼付部位Ｓの動きは、基本的に図１０（ｂ）と同様である。この場合においても貼付部位Ｓの凹凸面は支持板２０が貼付部位Ｓに向けて押圧されることによりスペーサー３０が貼付部位Ｓの凹凸面を押圧して貼付部位Ｓを平滑な面にし、貼付剤７０を容易に貼着できることとなる。なお、この場合においてスペーサー３０は収縮しないので、貼付剤７０が貼付部位Ｓに十分に貼着されるようにその厚みＴ30（図１参照）が適度に調節されることとなる。
【００５８】
【発明の効果】
以上説明したように本発明の貼付剤貼付用補助器具によれば、貼付剤の使用者は、使用する貼付剤を支持板上の仮止め手段に保持させることにより所望の貼付部位付近に位置させることができ、さらにスぺーサーにより正確な貼付位置を認識することができるので、適切な貼付位置を視覚的に直接確認しにくい背中等の部位に対して貼付剤を貼付する際に、使用者が独力で容易にしかも的確に貼付することが可能となる。
【図面の簡単な説明】
【図１】本発明の貼付剤貼付用補助器具の好適な一実施形態を示す斜視図である。
【図２】図１に示す貼付剤貼付用補助器具の背面を示す斜視図である。
【図３】図１の貼付剤貼付用補助器具への貼付剤の取り付け方法の一例を示す正面図である。
【図４】貼付剤使用者の背中における貼付部位の位置を示す模式図である。
【図５】（ａ）及び（ｂ）は図１の貼付剤貼付用補助器具を用いて図６の貼付部位に対する貼付剤の位置決めを行う場合の作業の一例を示す模式図である。
【図６】（ａ）及び（ｂ）は図１の貼付剤貼付用補助器具を用いて図６の貼付部位に対して貼付剤を貼付する場合の作業の一例を示す模式図である。
【図７】（ａ）及び（ｂ）は図１の貼付剤貼付用補助器具を用いて貼付剤を貼付した後の貼付剤及び貼付部位の状態を示す模式図である。
【図８】本発明の貼付剤貼付用補助器具の第二の実施形態を示す斜視図である。
【図９】本発明の貼付剤貼付用補助器具の第三の実施形態を示す斜視図である。
【図１０】（ａ）〜（ｃ）は、スペーサーが形状弾性を有しており、支持板が形状弾性を有していない場合の一連の貼付作業における支持板、スペーサー及び貼付部位の動きを示す模式断面図である。
【符号の説明】
１０…貼付剤貼付用補助器具、２０…支持板、２０ａ…支持板２０の貼付面、３０…スぺーサー、３０ａ…スぺーサー３０の貼付面、４０…仮止め手段、４０ａ…仮止め手段４０の貼付面、５０…貼付剤位置決め部、６０…ハンドル部、７０…貼付剤、Ｓ…貼付部位、Ｔ20…支持板２０の厚み、Ｔ30…スぺーサー３０の厚み、Ｌ30…スぺーサー３０の長手方向、Ｌ50…スぺーサー３０の長手方向に位置する貼付剤位置決め部５０を結ぶ直線の方向、Ｌ70…貼付剤７０の長手方向。
【図１】
0004261699.tif 000002
【図２】
0004261699.tif 000003
【図３】
0004261699.tif 000004
【図４】
0004261699.tif 000005
【図５】
0004261699.tif 000006
【図６】
0004261699.tif 000007
【図７】
0004261699.tif 000008
【図８】
0004261699.tif 000009
【図９】
0004261699.tif 000010
【図１０】
0004261699.tif 000011